(57)【特許請求の範囲】
【請求項１】
通信に使用する通信帯域と前記通信に使用される時間に応じて課金されるＩＰネットワークに接続され、使用する帯域を選択できるファクシミリ装置であって、
着呼側ファクシミリ装置の使用可能な着呼側帯域を判別する帯域判別手段と、
前記着呼側帯域と、予め設定された所定の帯域とを比較する帯域比較手段と、
前記着呼側帯域が前記所定の帯域未満であるとき、前記着呼側帯域を使用して通信を行う場合に課金される通信料金を計算する料金計算手段と、
前記通信料金が所定の料金の範囲内であるかどうかを判定する料金判定手段と、
前記通信料金が前記所定の料金の範囲内でないときは、前記所定の料金に収まるよう送信する画像データを加工して送信し、前記通信料金が前記所定の料金の範囲内であるときは、前記画像データを加工することなく送信する通信手段と、
を有する、ファクシミリ装置。
【請求項２】
前記所定の料金は、前記所定の帯域で通信する場合に課金される通信料金である、
請求項１に記載のファクシミリ装置。
【請求項３】
着呼側が複数のファクシミリ装置を備える場合に、
複数の着呼側ファクシミリ装置のリストとを有し、
前記通信手段は、前記複数の着呼側ファクシミリ装置の一の使用可能な帯域が前記所定の帯域未満であるとき、前記リストに記録された他の着呼側ファクシミリ装置と通信を行う
ことを特徴とする、請求項１に記載のファクシミリ装置。
【請求項４】
前記着呼側帯域が前記所定の帯域未満であるとき、当該ファクシミリ装置のユーザに、前記着呼側帯域を使用して通信を継続するか問い合わせる、問合せ手段
を有する、請求項１に記載のファクシミリ装置。
【請求項５】
前記通信手段は、前記通信料金が前記所定の料金の範囲内でないときは、画像データを加工して通信する代わりに、通信を切断する
ことを特徴とする、請求項１に記載のファクシミリ装置。
【請求項６】
前記通信手段は、前記通信料金が前記所定の料金の範囲内でないときは、画像データを加工して通信する代わりに、ポーリング機能を使用する前記着呼側ファクシミリ装置へ必要な情報を送信する
ことを特徴とする、請求項１に記載のファクシミリ装置。
【請求項７】
前記通信手段は、前記通信料金が前記所定の料金の範囲内でないときは、画像データを加工して通信する代わりに、通信内容に係る画像データを所定のサーバへアップロードし、着呼側ファクシミリ装置に前記サーバへのアクセス情報を送信する
ことを特徴とする、請求項１に記載のファクシミリ装置。
【請求項８】
前記着呼側ファクシミリ装置はアナログ方式によって通信を行うファクシミリ装置であって、
前記着呼側ファクシミリ装置の通信方式を識別する通信方式識別手段と、
前記着呼側ファクシミリ装置との通信のために通信方式を切り替える通信方式切替手段と
を有する、請求項１ないし７いずれか一項に記載のファクシミリ装置。
【請求項９】
通信に使用する帯域とその通信に使用される時間に応じて課金されるＩＰネットワークに、発呼側ファクシミリ装置と着呼側ファクシミリ装置が接続されるファクシミリ通信システムであって、
発呼側ファクシミリ装置は、着呼側ファクシミリ装置の使用可能な着呼側帯域を判別する帯域判別手段と、
前記発呼側ファクシミリ装置は、前記着呼側帯域と前記発呼側ファクシミリ装置の所定の帯域とを比較する帯域比較手段と、
前記発呼側ファクシミリ装置は、前記着呼側帯域が前記所定の帯域未満であるとき、前記着呼側帯域を使用して通信を行う場合に課金される通信料金を計算する料金計算手段と、
前記発呼側ファクシミリ装置は、前記通信料金が所定の料金の範囲内であるかどうかを判定する料金判定手段と、
前記発呼側ファクシミリ装置は、前記通信料金が前記所定の料金の範囲内でないときは、前記所定の料金に収まるよう送信する画像データを加工して前記着呼側ファクシミリ装置に送信し、前記通信料金が前記所定の料金の範囲内であるときは、前記画像データを加工することなく前記着呼側ファクシミリ装置に送信する通信手段と、
を有する、ファクシミリ通信システム。
【請求項１０】
通信に使用する帯域とその通信に使用される時間に応じて課金されるＩＰネットワークに接続され、使用する帯域を選択できるファクシミリ装置に搭載されるファクシミリ通信プログラムであって、コンピュータに、
着呼側ファクシミリ装置の使用可能な着呼側帯域を判別する帯域判別機能と、
前記着呼側帯域と、当該ファクシミリ装置の所定の帯域とを比較する帯域比較機能と、
前記着呼側帯域が前記所定の帯域未満であるとき、前記着呼側帯域を使用して通信を行う場合に課金される通信料金を計算する料金計算機能と、
前記通信料金が所定の料金の範囲内であるかどうかを判定する料金判定機能と、
前記通信料金が前記所定の料金の範囲内でないとき、前記所定の料金に収まるよう送信する画像データを加工して送信し、前記通信料金が前記所定の料金の範囲内であるとき、前記画像データをそのまま送信する通信機能と
を実行させるための、ファクシミリ通信プログラム。
【発明の詳細な説明】
【技術分野】
【０００１】
本発明は、ファクシミリ装置、ファクシミリ通信システム及びファクシミリ通信プログラムに関する。特に、通信に使用する帯域とその通信に使用される時間に応じて課金されるＩＰネットワークに接続され、所定の帯域未満の着呼側帯域を使用して通信するとき、許容料金に収まるよう画像データを加工して送信するファクシミリ装置、ファクシミリ通信システム及びプログラムに関する。
【背景技術】
【０００２】
次世代ＩＰネットワーク通信網であるＮＧＮ（Ｎｅｘｔ  Ｇｅｎｅｒａｔｉｏｎ  Ｎｅｔｗｏｒｋ）が実用化されている。また、ＮＧＮに接続可能な、ＩＰプロトコルを使用してファクシミリ通信を行うことができるＩＰ−ＦＡＸが普及している。
【０００３】
ＮＧＮにおいては、使用する帯域ごとに、通信に使用した時間に応じて課金される。ＮＧＮを使用してファクシミリ通信を行う場合、既存のＰＳＴＮ（Ｐｕｂｌｉｃ  Ｓｗｉｔｃｈｅｄ  Ｔｅｌｅｐｈｏｎｅ  Ｎｅｔｗｏｒｋｓ、公衆交換電話網）を用いて通信を行うＧ３−ＦＡＸに代表されるアナログＦＡＸと比較して、広帯域で安価な通信が可能である。したがって、ＩＰ−ＦＡＸは、より高い画質の原稿を画像データとして送信するよう構成される。
【０００４】
しかしながら、大容量の画像データを送信するよう構成されたＩＰ−ＦＡＸが、既存の電話回線に接続されるアナログＦＡＸに対し通信を行うと、着呼側の通信帯域に合わせて通信を行う結果、通信費用が高くついてしまう問題があった。
【０００５】
特許文献１には、着呼側でより高速なデータ送信が使用できないとき、より低速なデータ送信を使用する端末が開示されている。
【０００６】
特許文献２には、ＩＰネットワークを介してコンテンツデータを送信できない場合には、Ｔ．３８伝送方式を使用し、Ｔ．３８伝送方式も使用できない場合には、みなし音声伝送方式で接続して通信を行う情報処理装置が開示されている。
【発明の概要】
【発明が解決しようとする課題】
【０００７】
特許文献１は、送信する画像データサイズに言及しておらず、したがって通信方式の切り替えによって通信費用が高くなる問題への対応については開示していない。
【０００８】
特許文献２は、特許文献１と同様、通信方式の切り替えによって通信費用が高くなる問題への対応について開示していない。
【０００９】
本発明は、上記問題に鑑みてなされたものであり、通信に使用する帯域とその通信に使用される時間に応じて課金されるＩＰネットワークに接続され、所定の帯域未満の着呼側帯域を使用して通信するとき所定の料金に収まるよう画像データを加工して送信するファクシミリ装置を提供することを目的とする。
【課題を解決するための手段】
【００１０】
上述した課題を解決し目的を達成するため、本発明にかかるファクシミリ装置は、通信に使用する通信帯域と前記通信に使用される時間に応じて課金されるＩＰネットワークに接続され、使用する帯域を選択できるファクシミリ装置であって、着呼側ファクシミリ装置の使用可能な着呼側帯域を判別する帯域判別手段と、前記着呼側帯域と、予め設定された所定の帯域とを比較する帯域比較手段と、前記着呼側帯域が前記所定の帯域未満であるとき、前記着呼側帯域を使用して通信を行う場合に課金される通信料金を計算する料金計算手段と、前記通信料金が所定の料金の範囲内であるかどうかを判定する料金判定手段と、前記通信料金が前記所定の料金の範囲内でないときは、前記所定の料金に収まるよう送信する画像データを加工して送信し、前記通信料金が前記所定の料金の範囲内であるときは、前記画像データを加工することなく送信する通信手段と、を有する。
【００１１】
また、本発明にかかるファクシミリ通信システムは、通信に使用する帯域とその通信に使用される時間に応じて課金されるＩＰネットワークに、発呼側ファクシミリ装置と着呼側ファクシミリ装置が接続されるファクシミリ通信システムであって、発呼側ファクシミリ装置は、着呼側ファクシミリ装置の使用可能な着呼側帯域を判別する帯域判別手段と、前記発呼側ファクシミリ装置は、前記着呼側帯域と前記発呼側ファクシミリ装置の所定の帯域とを比較する帯域比較手段と、前記発呼側ファクシミリ装置は、前記着呼側帯域が前記所定の帯域未満であるとき、前記着呼側帯域を使用して通信を行う場合に課金される通信料金を計算する料金計算手段と、前記発呼側ファクシミリ装置は、前記通信料金が所定の料金の範囲内であるかどうかを判定する料金判定手段と、前記発呼側ファクシミリ装置は、前記通信料金が前記所定の料金の範囲内でないときは、前記所定の料金に収まるよう送信する画像データを加工して前記着呼側ファクシミリ装置に送信し、前記通信料金が前記所定の料金の範囲内であるときは、前記画像データを加工することなく前記着呼側ファクシミリ装置に送信する通信手段と、を有する。
【００１２】
また、本発明にかかるファクシミリ通信プログラムは、通信に使用する帯域とその通信に使用される時間に応じて課金されるＩＰネットワークに接続され、使用する帯域を選択できるファクシミリ装置に搭載されるファクシミリ通信プログラムであって、コンピュータに、着呼側ファクシミリ装置の使用可能な着呼側帯域を判別する帯域判別機能と、前記着呼側帯域と、当該ファクシミリ装置の所定の帯域とを比較する帯域比較機能と、前記着呼側帯域が前記所定の帯域未満であるとき、前記着呼側帯域を使用して通信を行う場合に課金される通信料金を計算する料金計算機能と、前記通信料金が所定の料金の範囲内であるかどうかを判定する料金判定機能と、前記通信料金が前記所定の料金の範囲内でないとき、前記所定の料金に収まるよう送信する画像データを加工して送信し、前記通信料金が前記所定の料金の範囲内であるとき、前記画像データをそのまま送信する通信機能とを実行させる。
【発明の効果】
【００１３】
本発明によれば、通信に使用する帯域とその通信に使用される時間に応じて課金されるＩＰネットワークに接続され、所定の帯域未満の着呼側帯域を使用して通信するとき所定の料金に収まるよう画像データを加工して送信するファクシミリ装置を提供できる。
【図面の簡単な説明】
【００１４】
【図１】本発明の一実施形態におけるファクシミリ通信システムの概略を表す。
【図２】本発明の一実施形態におけるファクシミリ装置のハードウェア構成図を表す。
【図３】本発明の一実施形態におけるファクシミリ装置の機能図を表す。
【図４】本発明の実施形態に係るファクシミリ装置の接続例を表す。
【図５】本発明の第１の実施形態における第１の実施例のファクシミリ装置の通信内容を表した概略図である。
【図６】本発明の第１の実施例におけるファクシミリ装置の通信フローを示すフローチャートである。
【図７】本発明の第１の実施形態における第２の実施例のファクシミリ装置の通信内容を表した概略図である。
【図８】本発明の第２の実施例におけるファクシミリ装置の通信フローを示すフローチャートである。
【図９】本発明の第１の実施形態における第３の実施例のファクシミリ装置の通信内容を表した概略図である。
【図１０】本発明の第３の実施例におけるファクシミリ装置の通信フローを示すフローチャートである。
【図１１】本発明の第１の実施形態における第４の実施例のファクシミリ装置の通信内容を表した概略図である。
【図１２】本発明の第４の実施例におけるファクシミリ装置の通信フローを示すフローチャートである。
【図１３】本発明の第１の実施形態における第５の実施例のファクシミリ装置の通信内容を表した概略図である。
【図１４】本発明の第５の実施例におけるファクシミリ装置の通信フローを示すフローチャートである。
【図１５】本発明の第１の実施形態における第６の実施例のファクシミリ装置の通信内容を表した概略図である。
【図１６】本発明の第６の実施例におけるファクシミリ装置の通信フローを示すフローチャートである。
【図１７】本発明の第１の実施形態における第７の実施例のファクシミリ装置の通信内容を表した概略図である。
【図１８】本発明の第７の実施例におけるファクシミリ装置の通信フローを示すフローチャートである。
【図１９】本発明の第２の実施形態における第１の実施例のファクシミリ装置の通信内容を表した概略図である。
【発明を実施するための形態】
【００１５】
以下、本発明の実施形態を図面に基づいて説明する。
【００１６】
（ＮＧＮネットワークの説明、課金システムの説明、ＩＰ−ＦＡＸ、Ｇ３−ＦＡＸの接続の例）
図１は、ネットワークに接続された複数のファクシミリ装置からなるファクシミリ通信システム１を表している。
【００１７】
ファクシミリ通信システム１は、ＮＧＮ及び既存のＰＳＴＮを含むネットワーク１２０に接続される、ファクシミリ装置１０１ないし１０３および１１１ないし１１３を有する。
【００１８】
ＮＧＮはＩＰネットワークであり、ＰＳＴＮと比べて広帯域な通信を行うことができる。ＮＧＮにおいてファクシミリ通信を行うときは、通信に使用する帯域とその通信に使用される時間に応じて課金される。一方、ＰＳＴＮにおいてファクシミリ通信を行うときは、通信時間に応じて課金される。
【００１９】
ファクシミリ装置１０１ないし１０３および１１１ないし１１３には、ＮＧＮを介してネットワークに接続されるＩＰ−ＦＡＸのほか、ＰＳＴＮを介してネットワーク１２０に接続されるアナログＦＡＸが含まれる。ネットワーク１２０を通じてＩＰ−ＦＡＸ同士が通信するとき、通信に使用する通信帯域がネゴシエーションによって決定される。一方、ＩＰ−ＦＡＸとアナログＦＡＸが通信するとき、ＩＰ−ＦＡＸがＩＰによって通信できないことを検出し、アナログ通信方式に切り替えて通信する。
【００２０】
広帯域通信が可能であることを前提とするＩＰ−ＦＡＸは、一般に、読み取った原稿データを高品質な画像データとして保存する。そのため、着呼側の使用可能な通信帯域が想定より狭いとき、容量の大きい画像データを送信するために時間を要した結果、通信コストが高くなる場合がある。
【００２１】
本発明の実施形態に係るファクシミリ装置１０１は、ファクシミリ通信システム１において、使用可能な帯域の異なるファクシミリ装置にファクシミリ原稿に係るデータを送信するとき、通信料金が所定の料金を超えないよう通信を行うことができる。
【００２２】
（ファクシミリ装置の物理的構成の説明）
図２は、本発明の一実施形態におけるファクシミリ装置１０１のハードウェア構成を表す。
【００２３】
本発明の実施形態に係るファクシミリ装置１０１は、他のファクシミリ装置と情報を通信する通信部２０１、ファクシミリ原稿等を記憶する記憶部２０２、ファクシミリ原稿を出力する出力部２０３、各部の処理を制御する制御部２０４、ファクシミリ原稿を読み取る読取部２０６、ユーザからの指示を受け付ける入力部２０７、ファクシミリ装置１０１の情報を表示する表示部２０８、各部を接続するバス２０９を有し、他のファクシミリ装置にデータを送信するとき、通信料金が所定の料金を超えないよう通信を行う。
【００２４】
通信部２０１は、他のファクシミリ装置との通信を行う。通信される情報には、ファクシミリ原稿に係る画像データを表す情報のほか、互いのファクシミリ装置の使用可能な帯域の情報を含む、通信を開始するためのネゴシエーションに関する情報が含まれる。
【００２５】
記憶部２０２は、ファクシミリ装置１０１が使用する情報を記憶する。記憶される情報には、読取部２０６によって読み取られたファクシミリ原稿に係る画像データ、着呼側ファクシミリ装置の電話番号のリスト、ファクシミリ装置１０１が希望する通信帯域、ファクシミリ通信において許容される料金を含む。記憶部２０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅｓ）、フラッシュメモリ等により構成され得る。
【００２６】
出力部２０３は、ファクシミリ装置１０１が受信したファクシミリ原稿を、普通紙又は感熱紙などの媒体に画像として形成して出力する。出力部２０３は、プリンタ等により構成され得る。
【００２７】
制御部２０４は、ファクシミリ装置１０１内における処理の制御を行う。処理の制御には、ファクシミリ原稿の読み取り、通信の開始、使用する通信帯域及び通信方式の判定及び切り替え、通信料金の計算、通信の切断が含まれる。また、使用可能な通信帯域が所定の帯域未満であり、かつ、通信料金が所定の料金の範囲内でないとき、送信する画像データの加工、ポーリング送信及びサーバへのアップロードをするよう制御する。これらの処理の詳細は後述する。通信料金制御部２０４は、ＣＰＵ等により構成され得る。
【００２８】
読取部２０６は、ファクシミリ原稿を読み取る。読み取られた原稿は、画像データとして記憶部２０２に記憶され、通信部２０１によって他のファクシミリ装置へと送信される。読取部２０６は、スキャナにより構成され得る。
【００２９】
入力部２０７は、ファクシミリ装置１０１の処理内容に関するユーザからの入力を受け付ける。ユーザからの入力には、宛先の選択、通信の開始、通信の切断、希望する通信帯域、許容される料金が含まれる。入力された指示内容に係る情報は、記憶部２０２に記憶される。入力部２０７は、ボタン、タッチパネルディスプレイ、キーボード等により構成され得る。
【００３０】
表示部２０８は、ファクシミリ装置１０１の情報を画面上に表示する。表示部２０９は、液晶ディスプレイ等により構成され得る。
【００３１】
バス２０９は、ファクシミリ装置１０１内の各部におけるデータを送受信するための経路である。
【００３２】
以上の構成により、所定の帯域未満の帯域を使用して通信するとき、通信料金が所定の料金を超えないよう通信を行うことができる。
【００３３】
（ファクシミリ装置の機能的構成の説明）
図３は、本発明の一実施形態におけるファクシミリ装置１０１の機能図を表す。
【００３４】
ファクシミリ装置１０１は、通信手段３０１、入力手段３０２、制御手段３０３、出力手段３０４、記憶手段３０５、帯域比較手段３０６、料金判定手段３０７、料金計算手段３０８、ユーザ問合せ手段３０９、画像加工手段３１０及び表示手段３１１を有し、着呼側ファクシミリ装置の通信帯域が所定の帯域未満であるとき、その通信料金を計算し、通信料金が所定の料金を超えるとき、所定の料金に収まるよう画像データを加工して送信する。または、画像データを加工して送信する代わりに、ポーリング受信又は図示しない外部サーバ１３１へのアップロードを行う。
【００３５】
通信手段３０１は、通信方式識別手段３５１、通信方式切替手段３５２、通信帯域判別手段３５３、通信帯域選択手段３５４、通信切断手段３５５、ポーリング手段３５６及びアップロード手段３５７を有し、着呼側ファクシミリ装置又は外部サーバ１３１との通信を行う。
【００３６】
通信方式識別手段３５１は、着呼側ファクシミリ装置が通信に使用する通信方式を識別する。前記通信方式は、ファクシミリのデータ送信に先立って行われるネゴシエーションによって識別することができる。ＩＰ−ＦＡＸであるファクシミリ装置１０１は、ＳＩＰ（Ｓｅｓｓｉｏｎ  Ｉｎｉｔｉａｔｉｏｎ  Ｐｒｏｔｏｃｏｌ）により、ネットワーク１２１内のＳＩＰプロキシサーバを介して、接続要求を示すＩｎｖｉｔｅメッセージを送信する。ここで、着呼側がアナログ方式のファクシミリ装置であって、ＩＰ−ＦＡＸからの発呼に対して対応できない場合、ネットワーク１２０から状態コード４８８（Ｎｏｔ  Ａｃｃｅｐｔａｂｌｅ  Ｈｅｒｅ）を含むメッセージが返送される。このようにして、着呼側ファクシミリ装置がアナログ方式にのみ対応している場合を識別することができる。
【００３７】
通信方式切替手段３５２は、通信方式識別手段３５１によって識別された着呼側ファクシミリ装置の通信方式に応じて、通信方式を切り替える。本実施形態においては、着呼側ファクシミリ装置がアナログ方式であるとき、通信方式をアナログ方式に切り替える。
【００３８】
通信帯域判別手段３５３は、通信方式切替手段３５２によって選択された通信方式において、着呼側ファクシミリ装置が通信に使用できる帯域を判別する。着呼側ファクシミリ装置がＩＰ−ＦＡＸであるとき、ＳＩＰにおけるＩｎｖｉｔｅメッセージに対する応答メッセージ（状態コード２００（ＯＫ））に含まれる、着呼側の使用可能な帯域を取得することにより、通信に使用できる帯域を判別することができる。ＮＧＮにおいては、例えば、６４ｋｂｐｓ、５１２ｋｂｐｓ、１Ｍｂｐｓの通信帯域が使用できる。一方、着呼側ファクシミリ装置がアナログＦＡＸであるとき、接続要求に対して返信されるＤＩＳ（Ｄｉｇｉｔａｌ  Ｉｄｅｎｔｉｆｉｃａｔｉｏｎ  Ｓｉｇｎａｌ）に含まれる情報に基づいて、通信帯域を判別することができる。
【００３９】
通信帯域選択手段３５４は、通信帯域判別手段３５３によって判別された、着呼側ファクシミリ装置との通信に使用可能な帯域の中から、通信に使用する帯域を選択する。一般的な例では、最も広い帯域を選択する。
【００４０】
通信切断手段３５５は、所定の条件のもと、ユーザからの通信切断の指示を受け、通信を切断する。ＳＩＰにおいては、切断要求を送信し、切断許可を受け取った時点で通信を終了する。アナログ方式においては、切断信号を送信する。詳細については後述する。
【００４１】
ポーリング手段３５６は、所定の条件のもと、読み取られたファクシミリ原稿に係る画像データを、着呼側ファクシミリ装置にポーリング受信させる。この時、ポーリング受信に必要な情報は、通常のファクシミリ通信としての画像データとして送信することができるほか、例えばＩＰ−ＦＡＸでは、ＳＩＰによるメッセージに含めることができる。一方、アナログＦＡＸでは、送信パラメータを通知する信号であるＤＣＳ（Ｄｉｇｉｔａｌ  Ｃｏｍｍａｎｄ  Ｓｉｇｎａｌ）に付随するＮＳＦ（Ｎｏｎ  Ｓｔａｎｄａｒｄ  Ｆａｃｉｌｉｔｉｅｓ）に含めることができる。処理の詳細については後述する。
【００４２】
アップロード手段３５７は、所定の条件のもと、読み取られたファクシミリ原稿に係る画像データを、外部サーバ１３１にアップロードし、そのデータへのアクセス情報を着呼側ファクシミリ装置に通知する。通知方法については、ポーリング手段に必要な情報と同様の方法によって行うことができる。処理の詳細については後述する。
【００４３】
入力手段３０２は、希望する通信帯域、許容される料金を含むユーザからの入力を受け付ける。これらの情報は、制御手段３０３によって制御され、記憶手段３０５に記憶される。また、所定の条件のもと、ユーザからの通信切断の指示を受け付ける。詳細については後述する。
【００４４】
制御手段３０３は、各手段の処理を制御し、入力手段３０２によって入力されたデータを記憶する記憶手段３０５の情報に基づいて、着呼側ファクシミリ装置１０１の処理を制御する。
【００４５】
出力手段３０４は、通信手段３０１を通じて着呼側から受信したファクシミリ原稿に係る画像を出力する。
【００４６】
記憶手段３０５は、ファクシミリ原稿に係る画像データ、入力手段３０２によって入力された希望する通信帯域、許容される料金に係る情報のほか、着呼側ファクシミリ装置の宛先リストを含む情報を記憶する。
【００４７】
帯域比較手段３０６は、通信帯域選択手段３５４によって選択された通信帯域と、記憶手段３０５に記憶された希望する通信帯域とを、比較する。その結果、希望する通信帯域によって通信できるとき、通常の手順に従いファクシミリ通信を行う。希望する通信帯域によって通信できないとき、後述の料金計算手段３０７によって、通信料金の計算が行われる。
【００４８】
料金計算手段３０７は、着呼側ファクシミリ装置との通信に使用される帯域を使用して、ファクシミリ原稿に係る画像データを送信したときに課金される通信料金を計算する。なお、ＮＧＮにおいては、帯域ごとに単位時間当たりの通信料金が設定されている。
【００４９】
料金判定手段３０８は、料金計算手段３０７によって計算された通信料金が、記憶手段３０５に記憶された許容される料金の範囲内であるどうかを判定する。その結果、通信料金が許容範囲内であるとき、記憶手段３０５に記憶されたファクシミリ原稿に係る画像データは、加工されることなく着呼側ファクシミリ装置へ送信される。通信料金が許容範囲内でないとき、画像加工手段３１１によって画像データが加工されて送信される。また、画像データが加工されて送信される代わりに、ポーリング手段３５６によって送信される。さらに、画像データが加工されて送信される代わりに、アップロード手段３５７によって送信される。これらの詳細については後述する。
【００５０】
ユーザ問合せ手段３０９は、帯域比較手段３０６によって希望する通信帯域によって通信できないことが判明したとき、ユーザに通信を継続するかどうか問い合わせるため、表示手段３１１上にダイアログを表示させる。入力手段３０２により、ユーザから通信を継続しない指示がなされたとき、通信切断手段３５５によって通信は切断される。
【００５１】
画像加工手段３１０は、料金判定手段３０８によって通信料金が許容範囲内でないとき、許容範囲に収まるよう、データ容量を削減するために画像データを加工する。許容範囲に収まるデータ容量は、予めユーザによって入力された許容される料金と、通信を行う帯域とから求めることができる。画像データを加工のための具体的な方法は、画像の大きさを変更する、色数を減らす、圧縮率を上げる方法を含む、一般的な方法を用いることができる。
【００５２】
表示手段３１１は、ユーザ問合せ手段３０９によるユーザの問合せに係るダイアログを表示する。
【００５３】
以上の構成により、本発明の実施形態に係るファクシミリ装置１０１は、着呼側ファクシミリの通信方式を判別して通信方式を切り替え、使用可能な通信帯域を識別して選択し、通信料金が所定の料金を超えないよう画像データを加工して送信することができる。また、画像データを加工して送信する代わりに、着呼側ファクシミリ装置にポーリング受信させることができる。さらに、画像データを加工して送信する代わりに、外部サーバ１３１経由で着呼側ファクシミリ装置に画像データを送信することができる。
【００５４】
（ファクシミリ装置の接続の例の説明）
図４は、本発明の実施形態に係るファクシミリ装置の接続例を表す。本発明のいくつかの実施形態は、着呼側ファクシミリ装置がＩＰ−ＦＡＸである場合と、アナログＦＡＸである場合とを含む。
【００５５】
図４（Ａ）は、本発明の実施形態に係るファクシミリ装置１０１と、ＩＰ−ＦＡＸである着呼側ファクシミリ装置１１１が、ネットワーク１２０を通して通信を行う。この実施形態において、二つのファクシミリ装置はＳＩＰを用いて互いに通信を行うことができるため、通信方式をアナログ方式へと切り替える必要はない。一方、通信に使用する通信帯域はネゴシエーションによって決定されるため、場合によってはファクシミリ装置１０１が希望する通信帯域で通信できないことがある。そのような場合に、ファクシミリ装置１０１は、通信料金が所定の料金を超えないよう画像データを加工して送信する。
【００５６】
図４（Ｂ）は、本発明の実施形態に係るファクシミリ装置１０１と、アナログＦＡＸである着呼側ファクシミリ装置１１２が、ネットワーク１２０を通して通信を行う。この実施形態において、ファクシミリ装置１０１は、アナログ方式へと通信方式を切り替える必要がある。次に、着呼側ファクシミリ装置１１２とのネゴシエーションにより通信帯域を決定する。そして、ファクシミリ装置１０１は、通信料金が所定の料金を超えないよう画像データを加工して送信する。
【００５７】
以下に、図５ないし図１８を用いて、図４（Ａ）に示される第一の実施形態における７つの実施例と、図４（Ｂ）に示される第二の実施形態における実施例について説明する。
【００５８】
（第１の実施形態の第１の実施例の説明）
図４（Ａ）に示される、着呼側がＩＰ−ＦＡＸである場合の本発明の第１の実施形態の７つの実施例について、図５ないし図１８を用いて説明する。
【００５９】
図５は、本発明の第１の実施形態における第１の実施例の通信フローの概略を表す。図５の左側に図示されるＩＰ−ＦＡＸがファクシミリ装置１０１を表し、右側に図示されるＩＰ−ＦＡＸが着呼側ファクシミリ装置１１１を表す。本実施例においては、発呼側であるファクシミリ装置１０１が指定した帯域未満で通信が行われるとき、その通信料金を計算し、所定の料金に収まるよう画像データを加工して送信する。
【００６０】
ファクシミリ装置１０１は、先述の通り、ＳＩＰを用いて接続要求を送信する。接続要求のメッセージ内には、通信に使用する帯域の情報が指定されている。接続要求を受けたファクシミリ装置１１１は、接続要求に対するＯＫ応答を返す。このとき、応答メッセージ内に、通信に使用できる帯域の情報が指定される。この通信により、両者の間で使用される通信帯域が決定する。第一の実施例では、発呼側であるファクシミリ装置１０１が指定した帯域未満で通信が行われるとき、その通信料金を計算し、所定の料金に収まるよう画像データを加工して送信する。手順を示すフローチャートを図６に示す。
【００６１】
図６は、第１の実施形態における第１の実施例の処理のフローを表す。
【００６２】
ステップＳ６０１において、通信手段３０１は、着呼側ファクシミリ装置１１１に対して接続要求を送信する。
【００６３】
ステップＳ６０２において、通信方式識別手段３５１は、着呼側ファクシミリ装置１１１からの応答メッセージにより、通信方式をアナログ方式に切り替える必要がないことを認識する。次に、帯域判別手段３５３は、着呼側ファクシミリ装置１１１からの応答メッセージに基づき、使用可能な帯域を判別する。次に、帯域比較手段３０６は、発呼側ファクシミリ装置１０１が指定した帯域と、着呼側ファクシミリ装置１１１が指定した帯域とを比較する。その結果、後者の帯域が前者の帯域未満であったとき、ステップＳ６０３に進む。通信帯域選択手段３５４は、後者の帯域を通信帯域として選択する。一方、後者の帯域が前者の帯域未満ではないとき、ステップＳ６０７へ進む。
【００６４】
ステップＳ６０３において、料金計算手段３０７は、通信帯域選択手段３５４で選択された通信帯域で、発呼側ファクシミリ装置１０１が送信しようとしているファクシミリ原稿に係る画像データを送信したときにかかる通信料金を計算する。
【００６５】
ステップＳ６０４において、料金判定手段３０８は、料金計算手段３０７によって計算された料金と、入力手段３０２によって予め入力された許容される料金とを比較する。そして、前者が後者の範囲内でないとき、ステップＳ６０５に進む。前者が後者の範囲内であるとき、ステップＳ６０７に進む。
【００６６】
ステップＳ６０５において、画像加工手段３１０は、ステップＳ６０２において選択された通信帯域を使用して、予め入力された許容される料金で送信するためのデータ容量を計算する。
【００６７】
ステップＳ６０６において、画像加工手段３１０は、ステップＳ６０５で求めたデータ容量に収まるよう、記憶手段３０５に記憶されたファクシミリ原稿に係る画像データを加工する。加工する方法については、先述の通りである。加工された画像データは、着呼側ファクシミリ装置１１１に送信されるため、記憶手段３０５に記憶される。
【００６８】
ステップＳ６０７において、送信手段３０１は、着呼側ファクシミリ装置に対して、記憶手段３０５に記憶された画像データを送信する。
【００６９】
なお、ステップＳ６１１、ステップＳ６２１は、他の実施例における処理フローからの接続を表す。
【００７０】
以上の処理により、本実施形態に係るファクシミリ装置１０１は、着呼側ファクシミリ装置１１１の使用可能な通信帯域で通信した場合に課金される通信料金が、予め入力された許容される料金を超える場合、その範囲に収まるよう画像データを加工して送信できる。
【００７１】
なお、ステップＳ６０４において、料金判定手段３０８は、料金計算手段３０７によって計算された料金と、接続要求メッセージ内で指定された通信に使用する帯域で通信を行った場合にかかる料金とを比較するよう構成されてもよい。このとき、ステップＳ６０５においても同様の料金が用いられる。これにより、予めユーザが許容料金を指定していない場合においても、想定する通信料金を超えて通信を行うことを防止できる。
【００７２】
（第１の実施形態の第２の実施例の説明）
図７は、第１の実施形態における第２の実施例の処理のフローを表す。以後、図５及び図６と共通する項目についての説明は省略する。
【００７３】
図７は、本発明の第１の実施形態における第２の実施例の通信フローの概略を表す。図７の右側に図示される、ＩＰ−ＦＡＸ１及びＩＰ−ＦＡＸ２はグループＡを形成し、異なるＦＡＸ番号が割り当てられている。ファクシミリ装置１０１は、グループＡに属するＩＰ−ＦＡＸのＦＡＸ番号を格納したリストを有し、記憶手段２０５に格納する。本実施例において、ファクシミリ装置１０１は、リスト内に指定した帯域で通信可能な着呼側ファクシミリ装置がないか確認して通信を行う。
【００７４】
ファクシミリ装置１０１は、グループＡの一方のファクシミリ装置１１１に対して接続要求を送信する。要求を受けた着呼側ファクシミリ装置１１１は、発呼側ファクシミリ装置１０１が指定した帯域未満の帯域を指定して応答する。発呼側ファクシミリ装置１０１は、次に、ファクシミリ装置１１１との通信を切断し、同じグループＡの別のファクシミリ装置１１３に対して接続要求を送信する。要求を受けた着呼側ファクシミリ装置１１３は、発呼側ファクシミリ装置１０１が指定した帯域を指定して応答したとき、その帯域によって互いに通信を行う。一方、着呼側ファクシミリ装置１１３も発呼側ファクシミリ装置１０１が指定した帯域未満の帯域を指定して応答したとき、先述の通り、その通信料金を計算し、所定の料金に収まるよう画像データを加工して送信する。手順を示すフローチャートを図８に示す。
【００７５】
図８は、第１の実施形態における第２の実施例の処理のフローを表す。
【００７６】
ステップＳ８０１、ステップＳ８０２、ステップＳ８０４は、図６におけるステップＳ６０１、ステップＳ６０２、ステップＳ６０７に対応するため、説明を省略する。
【００７７】
ステップＳ８０３において、記憶手段２０５のリストに、同一の宛先の別のＦＡＸ番号があれば、通信手段３０１がそのファクシミリ装置に対して新たに接続要求を行うため、ステップＳ８０１へと進む。通信手段３０１により、同一グループ内の全てのＦＡＸ番号を試されたとき、ステップＳ８１１へと進み、図６のステップＳ６２１に続く処理を行う。
【００７８】
以上の処理により、本実施形態に係るファクシミリ装置１０１は、複数のファクシミリ装置を有するグループ内に、指定する帯域で通信可能なファクシミリ装置があるとき、画像を加工することなく送信することができる。一方、全てのファクシミリ装置が指定する帯域で通信できないときでも、着呼側ファクシミリ装置の使用可能な通信帯域で通信した場合に課金される通信料金が、予め入力された許容される料金を超えないよう画像データを加工して送信できる。
【００７９】
（第１の実施形態の第３の実施例の説明）
図９は、本発明の第１の実施形態における第３の実施例の通信フローの概略を表す。ファクシミリ装置及びグループの構成は図８同様であるが、ファクシミリ装置１０１はＦＡＸ番号のリストを保持せず、代わりにグループＡのファクシミリ装置１１１又は１１３がそのリストを保持している。
【００８０】
発呼側ファクシミリ装置１０１は、グループＡの一方のファクシミリ装置１１１に対して接続要求を送信する。要求を受けた着呼側ファクシミリ装置１１１は、発呼側ファクシミリ装置１０１が指定した帯域未満の帯域を指定して応答する代わりに、発呼側ファクシミリ装置１０１が指定した帯域で通信可能なグループ内の別のファクシミリ装置と通信するよう、ＦＡＸ番号を通知する。この情報は、応答メッセージ内に記述されることができる。これを受けて、発呼側ファクシミリ装置１０１は、通知されたＦＡＸ番号に発信し、新たな接続要求を送信する。手順を示すフローチャートを図１０に示す。
【００８１】
図１０は、第１の実施形態における第３の実施例の処理のフローを表す。
【００８２】
ステップＳ１００１、Ｓ１００４は、図６のステップＳ６１０、Ｓ６０７に対応するため、説明を省略する。
【００８３】
ステップＳ１００２において、着呼側ファクシミリ装置１１１からグループ内の別のファクシミリ装置１１３と通信するよう指示を受けたとき、着呼側ファクシミリ装置１１１との通信を切断し、ステップＳ１００３へ進む。前記指示を受けなかったとき、ステップＳ１０１０へ進み、図６のステップＳ６１１に続く処理を行う。
【００８４】
ステップＳ１００３において、ファクシミリ装置１０１の通信手段３０１は、ファクシミリ装置１１１から指示されたファクシミリ装置１１３に対して新たに接続要求を送信する。
【００８５】
以上の処理により、本実施形態に係るファクシミリ装置１０１は、着呼側ファクシミリ装置１１１から、指定する帯域で通信可能なファクシミリ装置１１３へと接続するよう通知を受けることで、指定した帯域を用いて送信することができる。また、着呼側ファクシミリ１１１は、ファクシミリ装置１０１からより広帯域な通信によりデータを受信することができる。
【００８６】
（第１の実施形態の第４の実施例の説明）
図１１は、本発明の第１の実施形態における第４の実施例の通信フローの概略を表す。構成は、図５に示される第１の実施例と同様である。
【００８７】
ファクシミリ装置１０１の接続要求に対し、着呼側ファクシミリ装置１１１は、発呼側ファクシミリ装置１０１によって指定された帯域未満の通信帯域を指定して応答する。このとき、発呼側ファクシミリ装置１０１は、ユーザに通信を継続するか問い合わせる。通信を継続するよう指示されたとき、第１の実施例同様、その通信料金を計算し、所定の料金に収まるよう画像データを加工して送信する。手順を示すフローチャートを図１２に示す。
【００８８】
図１２は、第１の実施形態における第４の実施例の処理のフローを表す。
【００８９】
ステップＳ１２０１、ステップＳ１２０２、ステップＳ１２０６、ステップ１２１１は、それぞれ、図６におけるステップＳ６０１、ステップＳ６０２、ステップＳ６０７、図８におけるステップＳ８１１に対応するため、説明は省略する。
【００９０】
ステップＳ１２０３において、ファクシミリ装置１０１のユーザ問合せ手段３０９は、ユーザに対して通信を継続するかどうかを問い合わせるため、ダイアログを表示手段３１１に表示する。ユーザによる指示は、入力手段３０２を通じて行われる。
【００９１】
ステップＳ１２０４において、制御手段３０３は、入力手段３０２を通じて入力されるユーザによる指示を識別する。ユーザが通信を継続する旨の指示を行った場合にはステップＳ１２１１へ進み、ユーザが通信を継続しない旨の指示を行った場合にはステップＳ１２０５へと進む。
【００９２】
ステップＳ１２０５において、ファクシミリ装置１０１の通信切断手段３５５は、着呼側ファクシミリ１１１との通信を切断し、処理を終了する。
【００９３】
以上の処理により、本発明の実施形態に係るファクシミリ装置１０１は、指定した帯域で通信を行えないとき、ユーザによる指示を待って通信し、想定しない時間又は費用がかかることを防止することができる。
【００９４】
（第１の実施形態の第５の実施例の説明）
図１３は、本発明の第１の実施形態における第５の実施例の通信フローの概略を表す。構成は、図５に示される第１の実施例と同様である。
【００９５】
ファクシミリ装置１０１の接続要求に対し、着呼側ファクシミリ装置１１１は、発呼側ファクシミリ装置１０１によって指定された帯域未満の通信帯域を指定して応答する。この後、発呼側ファクシミリ装置１０１は、第１の実施例と同様、着呼側の帯域に合わせて通信を行った場合の料金判定を行う。判定の結果、ファクシミリ装置１０１に予め入力された許容される料金の範囲内でない場合には、通信を切断する。手順を示すフローチャートを図１４に示す。
【００９６】
図１４は、第１の実施形態における第５の実施例の処理のフローを表す。
【００９７】
ステップＳ１４０１、ステップＳ１４０２、ステップＳ１４０３、ステップＳ１４０４、ステップＳ１４０６は、それぞれ第１の実施例を示す図６のステップＳ６０１、ステップＳ６０２、ステップＳ６０３、ステップＳ６０４、ステップＳ６０７に対応するため、説明を省略する。
【００９８】
ステップＳ１４０５において、ファクシミリ装置１０１の通信切断手段３５５は、着呼側ファクシミリ装置１１１との通信を切断する。
【００９９】
以上の処理により、予め指定した許容される料金内で通信を行えないとき、通信のために想定しない時間がかかることを防止することができる。
【０１００】
（第１の実施形態の第６の実施例の説明）
図１５は、本発明の第１の実施形態における第６の実施例の通信フローの概略を表す。構成は、図５に示される第１の実施例と同様である。
【０１０１】
ファクシミリ装置１０１の接続要求に対し、着呼側ファクシミリ装置１１１は、発呼側ファクシミリ装置１０１によって指定された帯域未満の通信帯域を指定して応答する。この後、発呼側ファクシミリ装置１０１は、第１の実施例と同様、着呼側の帯域に合わせて通信を行った場合の料金判定を行う。判定の結果、ファクシミリ装置１０１に予め入力された許容される料金の範囲内でない場合には、着呼側ファクシミリ装置１１１にポーリング受信させるよう設定する。手順を示すフローチャートを図１６に示す。
【０１０２】
図１６は、第１の実施形態における第６の実施例の処理のフローを表す。
【０１０３】
ステップＳ１６０１ないしＳ１６０４、ステップＳ１６０７は、それぞれ第１の実施例を示す図６のステップＳ６０１ないしＳ６０４、ステップＳ６０７に対応するため、説明を省略する。
【０１０４】
ステップＳ１６０５において、ファクシミリ装置１０１のポーリング手段３５６は、着呼側ファクシミリ装置１１１が、記憶手段３０５に記憶されたファクシミリ原稿に係る画像データをポーリング受信できるよう、必要な情報を送信する。必要な情報には、ポーリング受信するためのＦＡＸ番号及び機密通信のためのパスワードを含む。この情報は、ファクシミリ通信のための画像データとして送信されてもよいし、ＳＩＰのメッセージを介して通知されてもよい。
【０１０５】
ステップＳ１６０６において、ポーリング手段３５６は、ポーリング受信できるようファクシミリ装置１０１又は他のファクシミリ装置に設定を行う。
【０１０６】
以上の処理により、予め指定した許容される料金内で通信を行えないとき、着呼側ファクシミリ装置にポーリング受信させることで、通信のために想定しない費用がかかることを防止することができる。
【０１０７】
（第１の実施形態の第７の実施例の説明）
図１７は、本発明の第１の実施形態における第７の実施例の通信フローの概略を表す。構成は、図５に示される第１の実施例と同様である。
【０１０８】
ファクシミリ装置１０１の接続要求に対し、着呼側ファクシミリ装置１１１は、発呼側ファクシミリ装置１０１によって指定された帯域未満の通信帯域を指定して応答する。この後、発呼側ファクシミリ装置１０１は、第１の実施例と同様、着呼側の帯域に合わせて通信を行った場合の料金判定を行う。判定の結果、ファクシミリ装置１０１に予め入力された許容される料金の範囲内でない場合には、ファクシミリ原稿に係る画像データを外部サーバ１３１へアップロードし、その外部サーバ１３１へのアクセス情報を着呼側ファクシミリ装置１１１へ通知する。手順を示すフローチャートを図１８に示す。
【０１０９】
図１８は、第１の実施形態における第７の実施例の処理のフローを表す。
【０１１０】
ステップＳ１８０１ないしＳ１８０４、ステップＳ１８０７は、それぞれ第１の実施例を示す図６のステップＳ６０１ないしＳ６０４、ステップＳ６０７に対応するため、説明を省略する。
【０１１１】
ステップＳ１８０５において、ファクシミリ装置１０１のアップロード手段３５６は、ファクシミリ原稿に係る画像データを、外部サーバ１３１にアップロードする。外部サーバ１３１は、着呼側ファクシミリ１１１からアクセスが可能なネットワーク上に配置され、ＨＴＴＰ、ＦＴＰを含む一般的なデータ転送用プロトコルによってデータ送受信が可能である。アップロード手段３５６は、予めセットアップされた外部サーバ１３１に、予め決められたプロトコルを用いて、画像データをファイルとしてアップロードする。このとき、ファイル形式として、ｊｐｅｇ、ｇｉｆ、ｐｎｇを含む圧縮された画像データ形式のほか、ＰＤＦ（Ｐｏｒｔａｂｌｅ  Ｄｏｃｕｍｅｎｔ  Ｆｏｒｍａｔ）を含むドキュメント形式を用いることができる。本発明において、ファイル形式は特に限定しない。
【０１１２】
ステップＳ１８０６において、アップロード手段３５６は、着呼側ファクシミリ１１１が外部サーバ１３１にアップロードされたファイルを取得するために必要な情報を送信する。必要な情報には、ＵＲＬ及び必要に応じてパスワードを含む。この情報は、ファクシミリ通信のための画像データとして送信されてもよいし、ＳＩＰのメッセージを介して通知されてもよい。
【０１１３】
以上の処理により、予め指定された許容される料金内で通信を行えないとき、ファクシミリ原稿に係る画像データを外部サーバ１３１にアップロードし、着呼側ファクシミリ装置１１１又はそのユーザにアクセスさせて受信させることで、通信のために想定しない費用がかかることを防止することができる。
【０１１４】
以上により、本発明の第１の実施形態に係るファクシミリ装置１０１は、着呼側ファクシミリの使用可能な通信帯域を識別して選択し、通信料金が所定の料金を超えないよう画像データを加工して送信することができる。また、画像データを加工して送信する代わりに、着呼側ファクシミリ装置にポーリング受信させることができる。さらに、画像データを加工して送信する代わりに、外部サーバ１３１経由で着呼側ファクシミリ装置に画像データを送信することができる。
【０１１５】
ここまで、図４（Ａ）に示される本発明の第一の実施形態について説明を行った。次に、図４（Ｂ）に示される本発明の第二の実施形態について説明を行う。なお、処理の流れ及びフローチャートは、第一の実施形態の説明で用いたものと同様であり、重複する事項の説明は省略する。
【０１１６】
（アナログＦＡＸを使用した第二の実施形態の説明）
図４（Ｂ）においては、着呼側ファクシミリ装置１１２はアナログＦＡＸである。そのため、ファクシミリ装置１０１の通信方式識別手段３５１、通信方式切替手段３５２が、通信方式の識別と切替のために使用される。また、通信を切り替えた後のメッセージのやりとりは、アナログ方式に基づいて行われる。しかしながら、それ以外の処理に関しては第一の実施形態と同様である。以下に、図１９を用いて、第一の実施形態との差異点についてのみ説明する。
【０１１７】
図１９は、本発明の第２の実施形態の第１の実施例における通信フローの概略を表す。図１９の左側に図示されるＩＰ−ＦＡＸが発呼側ファクシミリ装置１０１を表し、右側に図示されるアナログＦＡＸが着呼側ファクシミリ装置１１１を表す。
【０１１８】
（第２の実施形態の実施例の説明）
ファクシミリ装置１０１は、ＳＩＰを用いて、ＳＩＰプロキシサーバ１２１を含むネットワーク１２０を経由して接続要求を送信する。しかしながら、ＳＩＰに対応しないアナログ方式の着呼側ファクシミリ装置１１２に対しては、ネットワーク１２０から接続不可である応答が返される。ファクシミリ装置１０１は、これに応じて通信方式をアナログ方式に切り替える。次に、ネゴシエーションによって通信モードが決定する。その後の処理は、第１の実施形態と同様である。すなわち、通信に使用する帯域によって画像データを送信したときにかかる通信料金を計算し、所定の料金に収まるよう画像データを加工して送信する。処理フローは第１の実施形態における第１の実施例と同様であるため、図６を用いて、手順を説明する。
【０１１９】
ステップＳ６０１については第一の実施形態と同様である。
【０１２０】
ステップＳ６０２において、通信方式識別手段３５１は、着呼側ファクシミリ装置１１１からの応答メッセージにより、通信方式をアナログ方式に切り替える必要があることを認識する。そこで、通信方式切替手段３５２は、アナログ方式へと通信方式を切り替える。アナログ方式には、最も普及しているＧ３規格のほかに、Ｇ２、Ｇ１等の規格がある。また、Ｇ３規格の中にもいくつかのバリエーションがある。本実施例においては、これらのアナログ方式のうち、着呼側ファクシミリ装置が対応する通信方式を用いる。
【０１２１】
アナログ方式においては、通信方式に対応して通信帯域が決定する。そのため、帯域判別手段３５３は、記憶手段３０５に予め記録された、通信方式と通信帯域とを関連付けるテーブルを参照し、帯域を判別する。
【０１２２】
以降の処理は、ファクシミリ間で行われる通信方式の差異はあるが、処理フローは第１の実施形態と同様であるため、説明は省略する。
【０１２３】
以上の処理により、本実施形態に係るファクシミリ装置１０１は、アナログ方式にのみ対応する着呼側ファクシミリ装置１１１と通信した場合に課金される通信料金が、予め入力された許容される料金を超える場合、その範囲に収まるよう画像データを加工して送信できる。
【０１２４】
また、第１の実施形態の第２ないし７の実施例に係る処理フローは、それぞれ第２の実施形態の第２ないし７の実施例の処理フローに対応し、先に述べた差異を除き、処理内容は同様である。
【０１２５】
以上により、本発明の第２の実施形態に係るファクシミリ装置１０１は、着呼側ファクシミリの通信方式を判別して通信方式を切り替え、使用可能な通信帯域を識別して選択し、通信料金が所定の料金を超えないよう画像データを加工して送信することができる。また、画像データを加工して送信する代わりに、着呼側ファクシミリ装置にポーリング受信させることができる。さらに、画像データを加工して送信する代わりに、外部サーバ１３１経由で着呼側ファクシミリ装置に画像データを送信することができる。
【符号の説明】
【０１２６】
１  ファクシミリ通信システム
１０１  ファクシミリ装置
１１１  ＩＰ−ＦＡＸ
１１２  アナログＦＡＸ
１１３  ＩＰ−ＦＡＸ
１２０  ネットワーク
１２１  ＳＩＰプロキシーサーバ
１３１  外部サーバ
３０１  通信手段
３０２  入力手段
３０３  制御手段
３０４  出力手段
３０５  記憶手段
３０６  帯域比較手段
３０７  料金計算手段
３０８  料金判定手段
３０９  ユーザ問合せ手段
３１０  画像加工手段
３１１  表示手段
３５１  通信方式識別手段
３５２  通信方式切替手段
３５３  帯域判別手段
３５４  通信帯域選択手段
３５５  通信切断手段
３５６  ポーリング手段
３５７  アップロード手段
【先行技術文献】
【特許文献】
【０１２７】
【特許文献１】特開平１１−２７５２６１号公報
【特許文献２】特開２０１０−２４５８３０号公報
【図１】
0005821385.tif 000002
【図２】
0005821385.tif 000003
【図３】
0005821385.tif 000004
【図４】
0005821385.tif 000005
【図５】
0005821385.tif 000006
【図６】
0005821385.tif 000007
【図７】
0005821385.tif 000008
【図８】
0005821385.tif 000009
【図９】
0005821385.tif 000010
【図１０】
0005821385.tif 000011
【図１１】
0005821385.tif 000012
【図１２】
0005821385.tif 000013
【図１３】
0005821385.tif 000014
【図１４】
0005821385.tif 000015
【図１５】
0005821385.tif 000016
【図１６】
0005821385.tif 000017
【図１７】
0005821385.tif 000018
【図１８】
0005821385.tif 000019
【図１９】
0005821385.tif 000020